(57)【要約】【課題】好適な変形検知装置を提供すること。【解決手段】変形検知装置は、弾性基板と、弾性基板の第１面に形成された第１の歪みゲージ素子であって、第１の方向に付与された歪みに応じた第１の信号を出力するように構成された第１の歪みゲージ素子と、弾性基板の第１面とは反対の第２面に形成された第２の歪みゲージ素子であって、同じ第１の方向に付与された歪みに応じた第２の信号を出力するように構成された第２の歪みゲージ素子と、を備える。【選択図】図１２
2019138921.tif 000002
【特許請求の範囲】
【請求項１】
変形検知装置であって、
エラストマを含む弾性基板と、
第１端子および第２端子を含む２つの別個の端子を有する第１の歪みゲージ素子であって、該第１の歪みゲージ素子は、前記弾性基板の上面に形成され、第１の方向に付与された歪みに応じた第１の信号を出力するように構成され、前記第１の信号は、前記第１の歪みゲージ素子の第１端子と第２端子の間で測定可能である、前記第１の歪みゲージ素子と、
第３端子および第４端子を含む２つの別個の端子を有する第２の歪みゲージ素子であって、該第２の歪みゲージ素子は、前記弾性基板の上面とは反対の下面に形成され、同じ第１の方向に付与された歪みに応じた第２の信号を出力するように構成され、前記第２の信号は、前記第２の歪みゲージ素子の第３端子と第４端子の間で測定可能である、前記第２の歪みゲージ素子と、を備える変形検知装置。
【請求項２】
前記弾性基板は、可撓性の電気絶縁誘電材料を含み、
当該変形検知装置は、付与された変形に応じた第３の信号を出力するように構成されており、前記第３の信号は、前記第１の歪みゲージ素子の端子と前記第２の歪みゲージ素子の端子の間で測定可能である、請求項１に記載の変形検知装置。
【請求項３】
付与された変形に応じて、前記第１の歪みゲージ素子からの第１の信号と、前記第２の歪みゲージ素子からの第２の信号と、を測定するように構成された測定回路と、
前記第１の歪みゲージ素子から測定された第１の信号、前記第２の歪みゲージ素子から測定された第２の信号、および前記第３の信号に基づいて、前記付与された変形における、当該変形検知装置の伸縮変形の測度および撓み変形の測度を計算するように構成された変形分析器と、をさらに備える請求項２に記載の変形検知装置。
【請求項４】
前記第１の信号は、前記第１の歪みゲージ素子の第１の抵抗を示し、
前記第２の信号は、前記第２の歪みゲージ素子の第２の抵抗を示し、
前記第３の信号は、付与された変形に応じて測定された前記弾性基板の静電容量を示している、請求項３に記載の変形検知装置。
【請求項５】
前記変形分析器は、前記第１の信号、前記第２の信号、および前記第３の信号に基づいて、前記第１の歪みゲージ素子および前記第２の歪みゲージ素子の長さの変化割合（（ΔＬ）／Ｌ０）としての伸縮変形の測度を、式：
【数１】
2019138921.tif 000015
を用いて計算し、
Ｒ１は前記第１の抵抗、Ｒ２は前記第２の抵抗、Ｃは前記静電容量であり、
Ａｒｅａは、前記第１の歪みゲージ素子と前記第２の歪みゲージ素子とのオーバラップであり、
ＧＦは、歪みと抵抗を関係付けるゲージ率であり、
γは、軸間の変形を関係付ける前記弾性基板のポアソン比であり、
Ｌ０は、前記第１の歪みゲージ素子および前記第２の歪みゲージ素子の変形前の長さであり、
ΔＬ、ΔＬ１、ΔＬ２は、前記第１の歪みゲージ素子および前記第２の歪みゲージ素子の長さの変化であり、
Ｗ０は、前記第１の歪みゲージ素子および前記第２の歪みゲージ素子の変形前の長さであり、
εは、前記弾性基板の誘電率であり、
Ｒ０は、前記第１の歪みゲージ素子および前記第２の歪みゲージ素子の基準抵抗であり、
ｇ、ｇ０は、それぞれ前記弾性基板の変形後の幅および基準幅である、請求項４に記載の変形検知装置。
【請求項６】
前記変形分析器は、前記第１の信号、前記第２の信号、および前記第３の信号に基づいて、前記第１の歪みゲージ素子および前記第２の歪みゲージ素子の曲げ半径としての撓み変形の測度を、式：
【数２】
2019138921.tif 000016
を用いて計算し、
ただし、Ｒ１は前記第１の抵抗、Ｒ２は前記第２の抵抗であり、
ＧＦは、前記第１の歪みゲージ素子および前記第２の歪みゲージ素子の歪みと抵抗を関係付けるゲージ率であり、
γは、軸間の変形を関係付ける前記弾性基板のポアソン比であり、
Ｌ０は、前記第１の歪みゲージ素子および前記第２の歪みゲージ素子の変形前の長さであり、
ΔＬ１、ΔＬ２は、前記第１の歪みゲージ素子および前記第２の歪みゲージ素子の長さの変化であり、
Ｒ０は、前記第１の歪みゲージ素子および前記第２の歪みゲージ素子の基準抵抗であり、
ｇは、前記弾性基板の変形後の幅であり、
ρ１およびρ２は、前記弾性基板の上面および下面の曲げ半径である、請求項４に記載の変形検知装置。
【請求項７】
前記第１の歪みゲージ素子および前記第２の歪みゲージ素子の各々は、
アーチ状ヘッドと、前記アーチ状ヘッドの両端から延出する一対の細長リードと、を含む馬蹄形状を有し、
前記第１の歪みゲージ素子の形状と前記第２の歪みゲージ素子の形状のアライメントは、前記弾性基板の上面および下面に直交する軸に沿って対応しており、
前記第１の歪みゲージ素子の中心軸および前記第２の歪みゲージ素子の中心軸は、前記弾性基板の上面および下面に直交する平面に沿って互いに平行かつ同一平面上に配列されており、
前記第１の歪みゲージ素子および前記第２の歪みゲージ素子の細長リード対の対応するリード同士は、それぞれ、長さ方向に平行であるとともに、略同じ寸法を有する、請求項２に記載の変形検知装置。
【請求項８】
測定回路は、付与された変形に応じて、前記第１の歪みゲージ素子からの第１の信号と、前記第２の歪みゲージ素子からの第２の信号と、を測定するように構成されており、
変形分析器は、前記第１の歪みゲージ素子から測定された第１の信号、前記第２の歪みゲージ素子から測定された第２の信号、および前記第３の信号に基づいて、付与された変形における、当該変形検知装置の伸縮変形の測度および撓み変形の測度を計算するように構成されている、請求項７に記載の変形検知装置。
【請求項９】
前記伸縮変形の測度は、前記第１の歪みゲージ素子および前記第２の歪みゲージ素子の変形前の長さに対する長さの平均変化を示しており、
前記撓み変形の測度は、前記第１の歪みゲージ素子および前記第２の歪みゲージ素子が形成された前記弾性基板の面の角曲がりの曲げ半径を示している、請求項８に記載の変形検知装置。
【請求項１０】
前記変形分析器は、測定された前記第１の信号、前記第２の信号、前記第３の信号を比較することによって、前記第１の歪みゲージ素子および前記第２の歪みゲージ素子の抵抗変化の符号ならびに前記弾性基板の静電容量変化の符号に基づいて、前記伸縮変形が圧縮伸縮に相当するのか、または伸長伸縮に相当するのかを判定するように、さらに構成されている、請求項８に記載の変形検知装置。
【請求項１１】
変形検知装置であって、
弾性基板と、
第１の歪みゲージ対であって、
前記弾性基板の第１面に形成された第１の歪みゲージ素子であって、第１の方向に付与された歪みに応じた第１の信号を出力するように構成された前記第１の歪みゲージ素子と、
前記弾性基板の前記第１面とは反対の第２面に形成された第２の歪みゲージ素子であって、同じ第１の方向に付与された歪みに応じた第２の信号を出力するように構成された前記第２の歪みゲージ素子と、を含み、
当該変形検知装置は、付与された変形に応じた第３の信号を出力するように構成されており、前記第３の信号は、前記第１の歪みゲージ素子の端子と前記第２の歪みゲージ素子の端子の間で測定可能である、前記第１の歪みゲージ対と、
第２の歪みゲージ対であって、
前記弾性基板の第１面に実質的に形成された第３の歪みゲージ素子であって、第２の方向に付与された歪みに応じた第４の信号を出力するように構成された前記第３の歪みゲージ素子と、
前記弾性基板の第１面とは反対の第２面に実質的に形成された第４の歪みゲージ素子であって、同じ第２の方向に付与された歪みに応じた第５の信号を出力するように構成された前記第４の歪みゲージ素子と、を含み、
当該変形検知装置は、付与された変形に応じた第６の信号を出力するように構成されており、前記第６の信号は、前記第３の歪みゲージ素子の端子と前記第４の歪みゲージ素子の端子の間で測定可能である、前記第２の歪みゲージ対と、を備え、
前記第１の方向は、前記第２の方向に直交しており、
前記第１の歪みゲージ対の歪みゲージ素子と前記第２の歪みゲージ対の歪みゲージ素子とは、互いに直交している、変形検知装置。
【請求項１２】
付与された変形に応じて、前記第１の歪みゲージ素子からの第１の信号と、前記第２の歪みゲージ素子からの第２の信号と、前記第３の歪みゲージ素子からの第４の信号と、前記第４の歪みゲージ素子からの第５の信号と、を測定するように構成された測定回路と、
前記第１の歪みゲージ素子から測定された第１の信号、前記第２の歪みゲージ素子から測定された第２の信号、前記第３の歪みゲージ素子から測定された第４の信号、前記第４の歪みゲージ素子から測定された第５の信号に基づいて、前記第１の方向および前記第２の方向における、当該変形検知装置の伸縮変形の測度および撓み変形の測度をそれぞれ計算するように構成された変形分析器と、をさらに備える請求項１１に記載の変形検知装置。
【請求項１３】
前記変形分析器は、
前記第１の歪みゲージ対および前記第２の歪みゲージ対から検出された前記第１の信号、前記第２の信号、前記第４の信号、前記第５の信号の大きさを比較することによって、前記第１の方向または前記第２の方向の伸縮のいずれかとして伸縮変形方向を判定するように、さらに構成されており、
前記第１の方向の伸縮の場合には、前記変形分析器は、前記第１の信号および前記第２の信号を用いて伸縮の大きさを計算するように構成されており、
前記第２の方向の伸縮の場合には、前記変形分析器は、前記第４の信号および前記第５の信号を用いて伸縮の大きさを計算するように構成されている、請求項１２に記載の変形検知装置。
【請求項１４】
前記変形分析器は、
測定された前記第１の信号、前記第２の信号、前記第４の信号、前記第５の信号に基づいて、前記撓み変形の大きさおよび前記撓み変形の方向を特定するように、さらに構成されている、請求項１２に記載の変形検知装置。
【請求項１５】
前記変形分析器は、
前記第１の歪みゲージ対および前記第２の歪みゲージ対から検出された前記第１の信号、前記第２の信号、前記第４の信号、前記第５の信号の大きさを比較することによって、前記第１の方向または前記第２の方向の撓みのいずれかとして撓み変形方向を判定するように、さらに構成されており、
前記第１の方向の撓みの場合には、前記変形分析器は、前記第１の信号および前記第２の信号を用いて撓みの大きさを計算するように構成されており、
前記第２の方向の撓みの場合には、前記変形分析器は、前記第４の信号および前記第５の信号を用いて撓みの大きさを計算するように構成されている、請求項１２に記載の変形検知装置。
【請求項１６】
前記変形分析器は、測定された前記第１の信号、前記第２の信号、前記第４の信号、前記第５の信号を比較することによって、前記撓み変形が前記弾性基板の第１面に向けた撓みに相当するのか、または前記弾性基板の第２面に向けた撓みに相当するのかを判定するように、さらに構成されている、請求項１２に記載の変形検知装置。
【請求項１７】
変形検知装置であって、
弾性基板と、
前記弾性基板の第１面に形成された第１の歪みゲージ素子であって、第１の方向に付与された歪みに応じた第１の信号を出力するように構成された前記第１の歪みゲージ素子と、
前記弾性基板の第１面とは反対の第２面に形成された第２の歪みゲージ素子であって、第２の方向に付与された歪みに応じた第２の信号を出力するように構成された前記第２の歪みゲージ素子と、を備え、
当該変形検知装置は、付与された変形に応じた第３の信号を出力するように構成されており、前記第３の信号は、前記第１の歪みゲージ素子の端子と前記第２の歪みゲージ素子の端子の間で測定可能であり、
前記第１の方向は、前記第２の方向に直交しており、
前記第１の歪みゲージ素子と前記第２の歪みゲージ素子とは、互いに直交している、変形検知装置。
【請求項１８】
測定回路は、付与された変形に応じて、前記第１の歪みゲージ素子からの第１の信号と、前記第２の歪みゲージ素子からの第２の信号と、前記第３の信号と、を測定するように構成されており、
変形分析器は、
前記第１の歪みゲージ素子から測定された第１の信号、前記第２の歪みゲージ素子から測定された第２の信号、および測定された前記第３の信号に基づいて、前記第１の方向および前記第２の方向における、当該変形検知装置の伸縮変形の測度および撓み変形の測度をそれぞれ計算するように構成されている、請求項１７に記載の変形検知装置。
【請求項１９】
前記変形分析器は、
前記第１の歪みゲージ素子および前記第２の歪みゲージ素子から検出された第１の信号および第２の信号の大きさを比較することによって、前記第１の方向または前記第２の方向の伸縮のいずれかとして伸縮変形方向を判定するように、さらに構成されており、
前記第１の方向の伸縮の場合には、前記変形分析器は、前記第１の信号および前記第３の信号を用いて伸縮の大きさを計算するように構成されており、
前記第２の方向の伸縮の場合には、前記変形分析器は、前記第２の信号および前記第３の信号を用いて伸縮の大きさを計算するように構成されている、請求項１８に記載の変形検知装置。
【請求項２０】
前記変形分析器は、
前記第１の歪みゲージ素子および前記第２の歪みゲージ素子から検出された第１の信号および第２の信号の大きさを比較することによって、前記第１の方向または前記第２の方向の撓みのいずれかとして撓み変形方向を判定するように、さらに構成されており、
前記第１の方向の撓みの場合には、前記変形分析器は、前記第１の信号および前記第３の信号を用いて撓みの大きさを計算するように構成されており、
前記第２の方向の撓みの場合には、前記変形分析器は、前記第２の信号および前記第３の信号を用いて撓みの大きさを計算するように構成されている、請求項１８に記載の変形検知装置。
【請求項２１】
ウェアラブルデバイスであって、
１つ以上の変形センサであって、前記１つ以上の変形センサの各々は、
可撓性の電気絶縁誘電材料を含む弾性基板と、
前記弾性基板の第１面に形成された第１の歪みゲージ素子であって、第１の方向に付与された歪みに応じた第１の信号を出力するように構成された前記第１の歪みゲージ素子と、
前記弾性基板の第１面とは反対の第２面に形成された第２の歪みゲージ素子であって、同じ第１の方向に付与された歪みに応じた第２の信号を出力するように構成された前記第２の歪みゲージ素子と、を有し、
当該変形センサは、付与された変形に応じた第３の信号を出力するように構成されており、前記第３の信号は、前記第１の歪みゲージ素子の第１端子と第２端子のうちの１つと、前記第２の歪みゲージ素子の第３端子と第４端子のうちの１つと、の間で測定可能である、前記１つ以上の変形センサと、
前記付与された変形に応じて、前記第１の歪みゲージ素子からの第１の信号と、前記第２の歪みゲージ素子からの第２の信号と、を測定するように構成された測定回路と、
前記第１の歪みゲージ素子から測定された第１の信号、前記第２の歪みゲージ素子から測定された第２の信号、および前記第３の信号に基づいて、前記付与された変形における、前記変形センサの伸縮変形の測度および撓み変形の測度を計算するように構成された変形分析器と、を備えるウェアラブルデバイス。
【請求項２２】
当該ウェアラブルデバイス内の変形センサの第１の歪みゲージ素子および第２の歪みゲージ素子の各々は、
アーチ状ヘッドと、前記アーチ状ヘッドの両端から延出する一対の細長リードと、を含む馬蹄形状を有し、
前記第１の歪みゲージ素子の形状と前記第２の歪みゲージ素子の形状のアライメントは対応しており、前記形状は、関節動作する関節に外接するように構成されており、前記関節の動きによって、結果的に前記変形センサの対応する変形が生じる、請求項２１に記載のウェアラブルデバイス。
【請求項２３】
変形センサの変形を検知する方法であって、付与された変形に応じて、
前記変形センサの弾性基板の第１面に形成された第１の歪みゲージ素子から、前記第１の歪みゲージ素子の抵抗を示す第１の信号を測定すること、
前記変形センサの弾性基板の第２面に形成された第２の歪みゲージ素子から、前記第２の歪みゲージ素子の抵抗を示す第２の信号を測定すること、
付与された変形に応じて測定された前記弾性基板の静電容量を示す第３の信号を、前記第１の歪みゲージ素子と前記第２の歪みゲージ素子の間で測定すること、
前記第１の歪みゲージ素子から測定された第１の信号、前記第２の歪みゲージ素子から測定された第２の信号、および前記第３の信号に基づいて、付与された変形における、前記変形センサの伸縮変形の測度および撓み変形の測度を計算すること、を備える方法。
【発明の詳細な説明】
【背景技術】
【０００１】
歪みセンサは、その中に形成された（抵抗歪みゲージ、容量センサ、または誘導センサのような）電気素子の電気的特性（例えば、抵抗、インダクタンス、または静電容量）の変化に基づいて、変形が付与されたことにより生じた歪みを測定する。ところが、変形が付与された結果としての個々の電気的特性（例えば、抵抗変化または静電容量変化）を測定する歪みセンサは、単独では、異なる種類の変形を判別および区別する能力に欠けている。一例として、抵抗歪みゲージは、伸縮変形と撓み変形を区別する能力に欠けている。
【発明の概要】
【課題を解決するための手段】
【０００２】
変形検知装置は、弾性基板と、弾性基板の第１面に形成された第１の歪みゲージ素子であって、第１の方向に付与された歪みに応じた第１の信号を出力するように構成された第１の歪みゲージ素子と、弾性基板の第１面とは反対の第２面に形成された第２の歪みゲージ素子であって、同じ第１の方向に付与された歪みに応じた第２の信号を出力するように構成された第２の歪みゲージ素子と、を備える。
【０００３】
１つまたは複数の実施形態において、変形検知装置は、弾性誘電体基板の相対する平行な側にそれぞれ形成された２つの馬蹄形（例えば、Ｕ字形）抵抗器を備え、それらの間にコンデンサを形成している。２つの抵抗器のそれぞれから検知された抵抗を、それらの間で測定された静電容量と組み合わせて用いて、センサは、付与された異なる種類の変形を区別するために使用することが可能な３つの信号を提供する。例えば、基板の伸縮と撓みを区別するために、２つの抵抗と静電容量を示す３つの信号の組み合わせを用いることができる。この変形センサは、グローブ、ヘッドセット、または身体部位に適合するとともにその身体部位の動きを検出および区別するために用いることが可能な他の任意のファブリックのような、ウェアラブルデバイスにおいて使用されることがある。
【０００４】
１つまたは複数の実施形態により、ウェアラブルデバイスは、１つ以上の変形センサと、測定回路と、変形分析器と、を備える。このような実施形態において、各々の変形センサは、可撓性の電気絶縁誘電材料を含む弾性基板と、弾性基板の第１面に形成された第１の歪みゲージ素子であって、第１の方向に付与された歪みに応じた第１の信号を出力するように構成された第１の歪みゲージ素子と、弾性基板の第１面とは反対の第２面に形成された第２の歪みゲージ素子であって、同じ第１の方向に付与された歪みに応じた第２の信号を出力するように構成された第２の歪みゲージ素子と、を有する。いくつかの実施形態では、変形センサは、付与された変形に応じた第３の信号を出力するように構成されており、第３の信号は、第１の歪みゲージ素子の第１端子と第２端子のうちの１つと、第２の歪みゲージ素子の第３端子と第４端子のうちの１つと、の間で測定可能である。測定回路は、付与された変形に応じて、第１の歪みゲージ素子からの第１の信号と、第２の歪みゲージ素子からの第２の信号と、を測定するように構成される。変形分析器は、第１の歪みゲージ素子から測定された第１の信号、第２の歪みゲージ素子から測定された第２の信号、および第３の信号に基づいて、付与された変形における、検知装置の伸縮変形の測度および撓み変形の測度を計算するように構成される。
【０００５】
いくつかの実施形態では、ウェアラブルデバイス内の変形センサの第１の歪みゲージ素子および第２の歪みゲージ素子の各々は、アーチ状ヘッドと、アーチ状ヘッドの両端から延出する一対の細長リードと、を含む馬蹄形状を有する。第１の歪みゲージ素子と第２の歪みゲージ素子の形状のアライメントは、弾性基板の第１面および第２面に直交する軸に沿って対応している。このような実施形態において、アライメントされた馬蹄形状は、関節動作する関節に外接する（取り囲む）ように構成されており、その関節の動きによって、結果的に変形センサの対応する変形が生じる。
【０００６】
本発明による実施形態は、特に、システムおよび方法に関する添付の請求項において開示しており、ある１つの請求項カテゴリである例えば方法で記載されている特徴はいずれも、他の請求項カテゴリである例えばシステムでも同様に特許請求の対象となり得る。添付の請求項における従属関係または後方参照は、単なる形式的な理由で選択されたものである。しかしながら、先行する請求項への（特に多項従属での）意図的な後方参照の結果として得られる主題がいずれも、同様に特許請求の対象となり得ることで、請求項およびその特徴の任意の組み合わせが開示されているかのように、それらは、添付の請求項で選択されている従属関係にかかわりなく特許請求の対象となり得る。特許請求の対象となり得る主題は、添付の請求項に記載の特徴の組み合わせだけではなく、請求項に記載の特徴の他の任意の組み合わせも含み、このとき、請求項に記載の特徴はそれぞれ、請求項に記載の他のいずれかの特徴または他の特徴の組み合わせと組み合わせることができる。さらに、本明細書に記載もしくは図示の実施形態および特徴はいずれも、単独の請求項において、かつ／または本明細書に記載もしくは図示のいずれかの実施形態もしくは特徴との、または添付の請求項の特徴のいずれかとの任意の組み合わせで、特許請求され得る。
【０００７】
本発明による一実施形態では、変形検知装置は、
弾性基板と、
弾性基板の第１面に形成された第１の歪みゲージ素子であって、第１の方向に付与された歪みに応じた第１の信号を出力するように構成された第１の歪みゲージ素子と、
弾性基板の第１面とは反対の第２面に形成された第２の歪みゲージ素子であって、同じ第１の方向に付与された歪みに応じた第２の信号を出力するように構成された第２の歪みゲージ素子と、を備える。
【０００８】
本発明による一実施形態では、
第１の歪みゲージ素子は、２つの別個の端子である第１端子および第２端子を有し、
第１の信号は、第１の歪みゲージ素子の第１端子と第２端子の間で測定可能であり、
第２の歪みゲージ素子は、２つの別個の端子である第３端子および第４端子を有し、
第２の信号は、第２の歪みゲージ素子の第３端子と第４端子の間で測定可能である。
【０００９】
本発明による一実施形態では、
弾性基板は、可撓性の電気絶縁誘電材料を含み、
変形検知装置は、付与された変形に応じた第３の信号を出力するように構成されており、第３の信号は、第１の歪みゲージ素子の端子と第２の歪みゲージ素子の端子の間で測定可能である。
【００１０】
本発明による一実施形態では、変形検知装置は、さらに、
付与された変形に応じて、第１の歪みゲージ素子からの第１の信号と、第２の歪みゲージ素子からの第２の信号と、を測定するように構成された測定回路と、
第１の歪みゲージ素子から測定された第１の信号、第２の歪みゲージ素子から測定された第２の信号、および第３の信号に基づいて、付与された変形における、検知装置の伸縮変形の測度および撓み変形の測度を計算するように構成された変形分析器と、を備え得る。
【００１１】
本発明による一実施形態では、
第１の信号は、第１の歪みゲージ素子の第１の抵抗を示し、
第２の信号は、第２の歪みゲージ素子の第２の抵抗を示し、
第３の信号は、付与された変形に応じて測定された弾性基板の静電容量を示している。
【００１２】
変形分析器は、第１の信号、第２の信号、および第３の信号に基づいて、第１の歪みゲージ素子および第２の歪みゲージ素子の長さの変化割合（（ΔＬ）／Ｌ０）としての伸縮変形の測度を、以下の式を用いて計算し得る。
【００１３】
【数１】
2019138921.tif 000003
【００１４】
【数２】
2019138921.tif 000004
ただし、Ｒ１は第１の抵抗、Ｒ２は第２の抵抗、Ｃは静電容量であり、
Ａｒｅａは、第１の歪みゲージ素子と第２の歪みゲージ素子とのオーバラップであり、
ＧＦは、歪みと抵抗を関係付けるゲージ率であり、
γは、軸間の変形を関係付ける、弾性基板のポアソン比であり、
Ｌ０は、第１の歪みゲージ素子および第２の歪みゲージ素子の変形前の長さであり、
ΔＬ、ΔＬ１、ΔＬ２は、第１の歪みゲージ素子および第２の歪みゲージ素子の長さの変化であり、
Ｗ０は、第１の歪みゲージ素子および第２の歪みゲージ素子の変形前の長さであり、
εは、弾性基板の誘電率であり、
Ｒ０は、第１の歪みゲージ素子および第２の歪みゲージ素子の基準抵抗であり、
ｇ、ｇ０は、それぞれ弾性基板の変形後の幅および基準幅である。
【００１５】
変形分析器は、第１の信号、第２の信号、および第３の信号に基づいて、第１の歪みゲージ素子および第２の歪みゲージ素子の曲げ半径としての撓み変形の測度を、以下の式を用いて計算し得る。
【００１６】
【数３】
2019138921.tif 000005
【００１７】
【数４】
2019138921.tif 000006
ただし、Ｒ１は第１の抵抗、Ｒ２は第２の抵抗であり、
ＧＦは、第１の歪みゲージ素子および第２の歪みゲージ素子の歪みと抵抗を関係付けるゲージ率であり、
γは、軸間の変形を関係付ける、弾性基板のポアソン比であり、
Ｌ０は、第１の歪みゲージ素子および第２の歪みゲージ素子の変形前の長さであり、
ΔＬ１、ΔＬ２は、第１の歪みゲージ素子および第２の歪みゲージ素子の長さの変化であり、
Ｒ０は、第１の歪みゲージ素子および第２の歪みゲージ素子の基準抵抗であり、
ｇは、弾性基板の変形後の幅であり、
ρ１およびρ２は、弾性基板の第１面および第２面の曲げ半径である。
【００１８】
本発明による一実施形態では、
第１の歪みゲージ素子および第２の歪みゲージ素子の各々は、アーチ状ヘッドと、アーチ状ヘッドの両端から延出する一対の細長リードと、を含む馬蹄形状を有し、
第１の歪みゲージ素子と第２の歪みゲージ素子の形状のアライメントは、弾性基板の第１面および第２面に直交する軸に沿って対応しており、
第１の歪みゲージ素子および第２の歪みゲージ素子の中心軸は、弾性基板の第１面および第２面に直交する平面に沿って互いに平行かつ同一平面上にアライメントされており、
第１の歪みゲージ素子および第２の歪みゲージ素子の細長リード対の対応するリード同士は、それぞれ、長さ方向に平行であるとともに、略同じ寸法を有する。
【００１９】
本発明による一実施形態では、変形検知装置において、
測定回路は、付与された変形に応じて、第１の歪みゲージ素子からの第１の信号と、第２の歪みゲージ素子からの第２の信号と、を測定するように構成されており、
変形分析器は、第１の歪みゲージ素子から測定された第１の信号、第２の歪みゲージ素子から測定された第２の信号、および第３の信号に基づいて、付与された変形における、検知装置の伸縮変形の測度および撓み変形の測度を計算するように構成されている。
【００２０】
本発明による一実施形態では、
伸縮変形の測度は、第１の歪みゲージ素子および第２の歪みゲージ素子の変形前の長さに対する長さの平均変化を示しており、
撓み変形の測度は、第１の歪みゲージ素子および第２の歪みゲージ素子が形成された弾性基板面の角曲がりの曲げ半径を示している。
【００２１】
変形分析器は、さらに、測定された第１の信号、第２の信号、第３の信号を比較することによって、第１の歪みゲージ素子および第２の歪みゲージ素子の抵抗変化の符号ならびに弾性基板の静電容量変化の符号に基づいて、その伸縮変形が圧縮伸縮に相当するのか、または伸長伸縮に相当するのかを判定するように構成することができる。
【００２２】
本発明による一実施形態では、変形検知装置は、
弾性基板と、
第１の歪みゲージ対であって、
弾性基板の第１面に形成された第１の歪みゲージ素子であって、第１の方向に付与された歪みに応じた第１の信号を出力するように構成された第１の歪みゲージ素子と、
弾性基板の第１面とは反対の第２面に形成された第２の歪みゲージ素子であって、同じ第１の方向に付与された歪みに応じた第２の信号を出力するように構成された第２の歪みゲージ素子と、を含み、
この変形検知装置は、付与された変形に応じた第３の信号を出力するように構成されており、第３の信号は、第１の歪みゲージ素子の端子と第２の歪みゲージ素子の端子の間で測定可能である、第１の歪みゲージ対と、
第２の歪みゲージ対であって、
弾性基板の第１面に概ね形成された第３の歪みゲージ素子であって、第２の方向に付与された歪みに応じた第４の信号を出力するように構成された第３の歪みゲージ素子と、
弾性基板の第１面とは反対の第２面に概ね形成された第４の歪みゲージ素子であって、同じ第２の方向に付与された歪みに応じた第５の信号を出力するように構成された第４の歪みゲージ素子と、を含み、
この変形検知装置は、付与された変形に応じた第６の信号を出力するように構成されており、第６の信号は、第３の歪みゲージ素子の端子と第４の歪みゲージ素子の端子の間で測定可能である、第２の歪みゲージ対と、を備え、
第１の方向は第２の方向に直交しており、
第１の歪みゲージ対の歪みゲージ素子と第２の歪みゲージ対の歪みゲージ素子とは、互いに直交している。
【００２３】
変形検知装置は、
付与された変形に応じて、第１の歪みゲージ素子からの第１の信号と、第２の歪みゲージ素子からの第２の信号と、第３の歪みゲージ素子からの第４の信号と、第４の歪みゲージ素子からの第５の信号と、を測定するように構成された測定回路と、
第１の歪みゲージ素子から測定された第１の信号、第２の歪みゲージ素子から測定された第２の信号、第３の歪みゲージ素子から測定された第４の信号、第４の歪みゲージ素子から測定された第５の信号に基づいて、第１の方向および第２の方向における、検知装置の伸縮変形の測度および撓み変形の測度をそれぞれ計算するように構成された変形分析器と、を備え得る。
【００２４】
本発明による一実施形態では、変形検知装置において、
変形分析器は、さらに、第１の歪みゲージ対および第２の歪みゲージ対から検出された第１の信号、第２の信号、第４の信号、第５の信号の大きさを比較することによって、第１の方向または第２の方向の伸縮のいずれかとして伸縮変形方向を判定するように構成されており、
第１の方向の伸縮の場合には、変形分析器は、第１の信号および第２の信号を用いて伸縮の大きさを計算するように構成されており、
第２の方向の伸縮の場合には、変形分析器は、第４の信号および第５の信号を用いて伸縮の大きさを計算するように構成されている。
【００２５】
本発明による一実施形態では、変形検知装置において、
変形分析器は、さらに、測定された第１の信号、第２の信号、第４の信号、第５の信号に基づいて、撓み変形の大きさおよび撓み変形の方向を特定するように構成されている。
【００２６】
本発明による一実施形態では、
変形分析器は、さらに、第１の歪みゲージ対および第２の歪みゲージ対から検出された第１の信号、第２の信号、第４の信号、第５の信号の大きさを比較することによって、第１の方向または第２の方向の撓みのいずれかとして撓み変形方向を判定するように構成されており、
第１の方向の撓みの場合には、変形分析器は、第１の信号および第２の信号を用いて撓みの大きさを計算するように構成されており、
第２の方向の撓みの場合には、変形分析器は、第４の信号および第５の信号を用いて撓みの大きさを計算するように構成されている。
【００２７】
変形分析器は、さらに、測定された第１の信号、第２の信号、第４の信号、第５の信号を比較することによって、その撓み変形が弾性基板の第１面に向けた撓みに相当するのか、または弾性基板の第２面に向けた撓みに相当するのかを判定するように構成することができる。
【００２８】
本発明による一実施形態では、変形検知装置は、
弾性基板と、
弾性基板の第１面に形成された第１の歪みゲージ素子であって、第１の方向に付与された歪みに応じた第１の信号を出力するように構成された第１の歪みゲージ素子と、
弾性基板の第１面とは反対の第２面に形成された第２の歪みゲージ素子であって、第２の方向に付与された歪みに応じた第２の信号を出力するように構成された第２の歪みゲージ素子と、を備え、
変形検知装置は、付与された変形に応じた第３の信号を出力するように構成されており、第３の信号は、第１の歪みゲージ素子の端子と第２の歪みゲージ素子の端子の間で測定可能であり、
第１の方向は第２の方向に直交しており、
第１の歪みゲージ素子と第２の歪みゲージ素子とは、互いに直交している。
【００２９】
本発明による一実施形態では、
測定回路は、付与された変形に応じて、第１の歪みゲージ素子からの第１の信号と、第２の歪みゲージ素子からの第２の信号と、第３の信号と、を測定するように構成されており、
変形分析器は、第１の歪みゲージ素子から測定された第１の信号、第２の歪みゲージ素子から測定された第２の信号、および測定された第３の信号に基づいて、第１の方向および第２の方向における、検知装置の伸縮変形の測度および撓み変形の測度をそれぞれ計算するように構成されている。
【００３０】
本発明による一実施形態では、変形検知装置において、
変形分析器は、さらに、第１の歪みゲージ素子および第２の歪みゲージ素子から検出された第１の信号および第２の信号の大きさを比較することによって、第１の方向または第２の方向の伸縮のいずれかとして伸縮変形方向を判定するように構成されており、
第１の方向の伸縮の場合には、変形分析器は、第１の信号および第３の信号を用いて伸縮の大きさを計算するように構成されており、
第２の方向の伸縮の場合には、変形分析器は、第２の信号および第３の信号を用いて伸縮の大きさを計算するように構成されている。
【００３１】
本発明による一実施形態では、
変形分析器は、さらに、第１の歪みゲージ素子および第２の歪みゲージ素子から検出された第１の信号および第２の信号の大きさを比較することによって、第１の方向または第２の方向の撓みのいずれかとして撓み変形方向を判定するように構成されており、
第１の方向の撓みの場合には、変形分析器は、第１の信号および第３の信号を用いて撓みの大きさを計算するように構成されており、
第２の方向の撓みの場合には、変形分析器は、第２の信号および第３の信号を用いて撓みの大きさを計算するように構成されている。
【００３２】
本発明による一実施形態では、ウェアラブルデバイスは、
１つ以上の変形センサであって、各々の変形センサは、
可撓性の電気絶縁誘電材料を含む弾性基板と、
弾性基板の第１面に形成された第１の歪みゲージ素子であって、第１の方向に付与された歪みに応じた第１の信号を出力するように構成された第１の歪みゲージ素子と、
弾性基板の第１面とは反対の第２面に形成された第２の歪みゲージ素子であって、同じ第１の方向に付与された歪みに応じた第２の信号を出力するように構成された第２の歪みゲージ素子と、を有し、
変形センサは、付与された変形に応じた第３の信号を出力するように構成されており、第３の信号は、第１の歪みゲージ素子の第１端子と第２端子のうちの１つと、第２の歪みゲージ素子の第３端子と第４端子のうちの１つと、の間で測定可能である、１つ以上の変形センサと、
付与された変形に応じて、第１の歪みゲージ素子からの第１の信号と、第２の歪みゲージ素子からの第２の信号と、を測定するように構成された測定回路と、
第１の歪みゲージ素子から測定された第１の信号、第２の歪みゲージ素子から測定された第２の信号、および第３の信号に基づいて、付与された変形における、検知装置の伸縮変形の測度および撓み変形の測度を計算するように構成された変形分析器と、を備える。
【００３３】
本発明による一実施形態では、
ウェアラブルデバイス内の変形センサの第１の歪みゲージ素子および第２の歪みゲージ素子の各々は、アーチ状ヘッドと、アーチ状ヘッドの両端から延出する一対の細長リードと、を含む馬蹄形状を有し、
第１の歪みゲージ素子と第２の歪みゲージ素子の形状のアライメントは対応しており、それらの形状は、関節動作する関節に外接するように構成されており、その関節の動きによって、結果的に変形センサの対応する変形が生じる。
【００３４】
本発明による一実施形態では、変形センサの変形を検知する方法は、付与された変形に応じて、
変形センサの弾性基板の第１面に形成された第１の歪みゲージ素子から、第１の歪みゲージ素子の抵抗を示す第１の信号を測定することと、
変形センサの弾性基板の第２面に形成された第２の歪みゲージ素子から、第２の歪みゲージ素子の抵抗を示す第２の信号を測定することと、
付与された変形に応じて測定された弾性基板の静電容量を示す第３の信号を、第１の歪みゲージ素子と第２の歪みゲージ素子の間で測定することと、
第１の歪みゲージ素子から測定された第１の信号、第２の歪みゲージ素子から測定された第２の信号、および第３の信号に基づいて、付与された変形における、変形センサの伸縮変形の測度および撓み変形の測度を計算することと、を含む。
【００３５】
本発明によるさらなる実施形態において、１つまたは複数の非一時的なコンピュータ可読記憶媒体は、ソフトウェアを具現化しており、そのソフトウェアは、実行されることで、本発明または上記実施形態のいずれかによる方法を実施するように機能する。
【００３６】
本発明によるさらなる実施形態において、システムは、１つ以上のプロセッサと、プロセッサに結合された少なくとも１つのメモリであって、プロセッサで実行可能な命令を含むメモリと、を備え、プロセッサは、命令を実行することで、本発明または上記実施形態のいずれかによる方法を実施するように機能する。
【００３７】
本発明によるさらなる実施形態において、好ましくは非一時的なコンピュータ可読記憶媒体を含む、コンピュータプログラムプロダクトは、データ処理システム上で実行されることで、本発明または上記実施形態のいずれかによる方法を実施するように機能する。
【図面の簡単な説明】
【００３８】
【図１Ａ−１Ｃ】１つ以上の実施形態により、伸縮変形が付与された場合および伸縮変形が付与されていない場合の変形検知装置の側面図を示している。
【図２Ａ−２Ｃ】１つ以上の実施形態により、撓み変形が付与された場合および撓み変形が付与されていない場合の変形検知装置の側面図を示している。
【図３Ａ】１つ以上の実施形態により、変形検知装置の斜視図を含む変形検知システムを示している。
【図３Ｂ】いくつかの実施形態により、図３Ａの測定回路の例示的な実装を示している。
【図４Ａ−４Ｃ】１つ以上の実施形態により、変形検知装置に付与された長さ方向の伸縮変形を示している。
【図５Ａ−５Ｃ】１つ以上の実施形態により、変形検知装置に付与された幅方向の伸縮変形を示している。
【図６Ａ−６Ｃ】１つ以上の実施形態により、変形検知装置に付与された長さ方向の撓み変形を示している。
【図７Ａ−７Ｃ】１つ以上の実施形態により、直交方向の伸縮変形および撓み変形を区別するために、直交する向きの歪みゲージを備える改良型変形センサを示している。
【図７Ｄ−７Ｆ】１つ以上の実施形態により、直交方向の伸縮変形および撓み変形を区別するために、直交する向きの歪みゲージを備える改良型変形センサを示している。
【図８】１つ以上の実施形態により、１つ以上の変形検知装置を備えるウェアラブルシステムの例を示している。
【図９】１つ以上の実施形態により、１つ以上の変形検知装置を備えるウェアラブルシステムの例を示している。
【図１０】１つ以上の実施形態により、１つ以上の変形検知装置を備えるウェアラブルシステムの例を示している。
【図１１】１つ以上の実施形態により、１つ以上の変形検知装置を備えるウェアラブルシステムの例を示している。
【図１２】１つ以上の実施形態により、本明細書で開示する変形検知装置を使用して変形を検知する方法を示すフローチャートを示している。
【発明を実施するための形態】
【００３９】
図面には、単なる例示目的で、本発明の種々の実施形態を示している。本明細書に記載の発明の原理から逸脱することなく、本明細書で例示する構造および方法の代替実施形態を採用できることは、当業者であれば、以下の解説から容易に理解できるであろう。
【００４０】
図１Ａ〜１Ｃは、１つ以上の実施形態により、変形が付与された場合および変形が付与されていない場合の変形検知装置の側面図をそれぞれ示している。
図１Ａ〜１Ｃは、（本明細書では、変形センサ１００と別称される）変形検知装置１００の側面図をそれぞれ示している。図１Ａは、１つ以上の実施形態により、変形が付与されていない場合の変形検知装置１００の側面図を示している。図１Ａに示すように、変形検知装置１００は、第１の歪みゲージ素子１１０と、第２の歪みゲージ素子１２０と、弾性基板１３０と、を備える。第１の歪みゲージ素子１１０は、弾性基板１３０の第１面１３０−ａに形成されている。第２の歪みゲージ素子は、弾性基板１３０の第１面１３０−ａとは反対の第２面１３０−ｂに形成されている。
【００４１】
第１の歪みゲージ素子１１０は、第１の方向に付与された歪みに応じた第１の信号を出力するように構成されている。第２の歪みゲージ素子１２０は、同じ第１の方向に付与された歪みに応じた第２の信号を出力するように構成されている。いくつかの実施形態では、第１の歪みゲージと第２の歪みゲージは、弾性基板の反対側で同じアライメントまたは対称に対応したアライメントが得られるように、基板の反対側に対称に形成される。例えば、第１の歪みゲージと第２の歪みゲージの長さは平行で（かつ、場合によっては一致して、同一平面上に）ある。その結果、第１の歪みゲージと第２の歪みゲージは、ある特定の方向に付与された歪みに対して、同様の応答を生成する。従って、歪みゲージの長さに平行な方向に沿って歪みが付与されると、その歪みに応じて、双方の歪みゲージは対応する信号を出力する。
【００４２】
図１Ａに示すように、いくつかの実施形態では、第１の歪みゲージ素子１１０は、２つの別個の端子である第１端子１１０−ａおよび第２端子１１０−ｂを有する。第１の歪みゲージ素子１１０から出力される第１の信号は、第１の歪みゲージ素子の第１端子と第２端子の間で測定可能である。いくつかの実施形態では、変形の結果として、第１の信号は、付与された変形に応じて測定された第１の歪みゲージ素子１１０の第１の抵抗（Ｒ１）または第１の抵抗変化（ΔＲ１）を示している。その変形は、第１の方向に付与された歪みおよび（撓み変形または曲げ変形のような）他の変形に応じて生じ得る。
【００４３】
いくつかの実施形態では、図１Ａに示すように、第２の歪みゲージ素子１２０は、２つの別個の端子である第３端子１２０−ａおよび第４端子１２０−ｂを有する。第２の信号は、第２の歪みゲージ素子の第３端子と第４端子の間で測定可能である。いくつかの実施形態では、第２の信号は、付与された変形に応じて測定された第２の歪みゲージ素子１２０の第２の抵抗（Ｒ２）または第２の抵抗変化（ΔＲ２）を示している。
【００４４】
いくつかの実施形態では、弾性基板１３０は、可撓性の電気絶縁誘電材料を含む。変形センサ１００は、第１の方向に付与された歪みに応じた第３の信号を出力するように構成されており、第３の信号は、第１の歪みゲージ素子の端子と第２の歪みゲージ素子の端子の間で測定可能である。いくつかの実施形態では、第３の信号は、付与された変形に応じて測定された弾性基板の静電容量（Ｃ）または静電容量変化（ΔＣ）を示している。
【００４５】
（弾性基板１３０のような）伸縮基板の例示的な材料には、導電性歪み感知経路（conductive strain sensitive path）（歪みゲージ素子）を形成するために導電性粒子（カーボンブラック、カーボンナノチューブ、銀ナノ粒子またはナノワイヤ）をドープすることができるシリコーン（ＰＤＭＳ：ＰｏｌｙＤｉＭｅｔｈｙｌＳｉｌｏｘａｎｅ（ポリジメチルシロキサン））が含まれる。その構成は、硬度が１０デュロメータ（durometer）未満〜１００デュロメータの範囲とすることができ、２００％を超える伸長に耐えることができ、最大撓みの曲げ半径はセンサ全厚ほどの小ささとすることが可能である。非導電層（例えば、弾性誘電体基板１３０）は、均質エラストマ（homogeneous elastomer）とすることができ、または間隔と誘電率の非線形関係を構築する（連続気泡もしくは独立気泡）エラストマ発泡体とすることができ、これを、特定の変形値または変形範囲に対する感度を向上させる最適化のために利用することができる。
【００４６】
図１Ｂは、結果的に第１の歪みゲージ素子１１０および第２の歪みゲージ素子１２０の長さが拡大するとともに弾性基板１３０の幅（厚さ）が縮小することになる、変形センサ１００の長さ方向の伸長を示している。第１の歪みゲージ素子１１０および第２の歪みゲージ素子１２０の寸法が変化するとともに、介在する誘電体基板１３０の厚さが変化することによって、結果的に、抵抗Ｒ１およびＲ２だけではなく静電容量Ｃが、周知のように決定論的に変化する。第１の信号、第２の信号、第３の信号は、抵抗Ｒ１、Ｒ２、静電容量Ｃ、またはＲ１、Ｒ２、Ｃの変化を示している。いくつかの実施形態では、図３を参照してさらに説明するように、センサ１００の伸長伸縮の大きさ（さらに場合によっては方向）を推定するために、３つの信号の組み合わせを用いることができる。
【００４７】
逆に、図１Ｃは、結果的にセンサ１００が圧縮される伸縮変形を示している。いくつかの実施形態では、歪みゲージ素子は、基板に形成されるときに、（変形されていない）レスト状態（resting state）において予め伸長伸縮を有するよう構成される。このような実現形態では、歪みゲージ素子は、結果的に予め伸長伸縮が減少する圧縮伸縮を検知することができる。
【００４８】
図２Ａ〜２Ｃは、１つ以上の実施形態により、撓み変形が付与された場合および撓み変形が付与されていない場合の変形検知装置の側面図をそれぞれ示している。図２Ａは、変形されていない場合の変形センサ１００を示している。図２Ｂ〜２Ｃは、結果的に弾性基板１３０の表面がアーチ状または湾曲状になる、変形センサ１００の撓み（撓み変形）を示している。第１の歪みゲージ素子１１０と第２の歪みゲージ素子１２０の寸法の変化は非対称に生じ、例えば、第２の素子１２０に向けた撓みの場合には、図２Ｂにおいて、第１の素子１１０の長さは、素子１２０の長さよりも多く増大し、第１の素子１１０に向けた撓みの場合には、図２Ｃにおいて、素子１２０の長さは、素子１１０の長さよりも多く増大する。その結果、抵抗Ｒ１およびＲ２は、付与された撓み変形によって、非対称かつ決定論的に変化する。さらに、介在する誘電体基板１３０の厚さおよび向きが変化することによって、結果的に、静電容量Ｃは、周知のように決定論的に変化する。第１の信号、第２の信号、第３の信号は、抵抗Ｒ１、Ｒ２、静電容量Ｃ、またはＲ１、Ｒ２、Ｃの変化を示している。いくつかの実施形態では、図３を参照してさらに説明するように、センサ１００の撓み変形の大きさ（さらに場合によっては方向）を推定するために、３つの信号の組み合わせを用いることができる。
【００４９】
図３Ａは、１つ以上の実施形態により、変形検知装置１００を含む変形検知システム３００を示している。１つまたは複数の実施形態において、変形検知システムは、変形センサ１００と、測定回路１４０と、変形分析器１５０と、を備える。
【００５０】
図１Ａを参照して説明したように、変形センサ１００は、第１の歪みゲージ素子１１０および第２の歪みゲージ素子１２０と、弾性基板１３０と、を備える。いくつかの実施形態では、図３Ａの例示において、第１の歪みゲージ素子１１０および第２の歪みゲージ素子１２０の各々は、アーチ状（例えば、湾曲状または半円状）ヘッドと、アーチ状ヘッドの両端から延出する一対の細長リードと、を含む馬蹄形状（「Ｕ」字形状）を有する。馬蹄形状（「Ｕ」字形状）の利点は、その「Ｕ」字形が、平行平板コンデンサの単純な矩形板を、（電流を流すこと、または両端間に電圧を印加することによって）その端子間で測定可能な抵抗を有する抵抗性電流路に拡張する、幾何学的に単純な形態であることである。この幾何学的単純さは、設計および製造の観点から効果的である。導電性要素（例えば、矩形または一次元の線状トレース）を両端間でインテロゲートする（interrogating）ことによって抵抗Ｒ１およびＲ２を測定することは、結果的に同様の数学的定式化が得られることになるが、パッケージングの観点からは、シングルエンド測定または片側測定が、より有効である。代替的に、多重パス蛇行路（例えば、多重Ｕ字形状）を用いることができる。選択されるこれらの幾何学的形状は、各々の歪みゲージ素子の全抵抗に影響を及ぼすとともに、２つの歪みゲージ素子間の静電容量のモデルにも影響を及ぼすことになる。
【００５１】
いくつかの実施形態では、第１の歪みゲージ素子の形状と第２の歪みゲージ素子の形状のアライメントは、弾性基板１３０の第１面および第２面に直交する軸に沿って対応している（例えば、オーバラップまたは一致している）。このような実施形態では、第１の歪みゲージ素子１１０と第２の歪みゲージ素子１２０の中心軸は、平行にアライメントされるとともに、対応（オーバラップまたは一致）しており、さらに、弾性基板の第１面および第２面に直交する同一平面内に形成されている。すなわち、それらの馬蹄形状は、平行かつ一致する中心軸に沿ってアライメントされている。同様に、第１の歪みゲージ素子および第２の歪みゲージ素子の細長リード対の対応するリード同士は、それぞれ、平行であるとともに、略同じ寸法を有する。
【００５２】
いくつかの実施形態では、測定回路１４０は、付与された変形に応じて、第１の歪みゲージ素子１１０からの第１の信号と、第２の歪みゲージ素子１２０からの第２の信号と、を測定するように構成されている。
【００５３】
図１Ａを参照して説明したように、いくつかの実施形態では、第１の信号は、付与された（例えば、第１の方向の歪みを含む）変形に応じて測定された第１の歪みゲージ素子１１０の第１の抵抗（Ｒ１）または第１の抵抗変化（ΔＲ１）を示している。いくつかの実施形態では、第１の信号は、測定回路によって第１の歪みゲージ素子１１０の第１端子１１０−ａと第２端子１１０−ｂの間に印加される既知の第１の電気信号（例えば、既知の電圧または電流）に対する応答として、測定される。
【００５４】
いくつかの実施形態では、図１Ａを参照して説明したように、第２の信号は、付与された変形に応じて測定された第２の歪みゲージ素子１２０の第２の抵抗（Ｒ２）または第２の抵抗変化（ΔＲ２）を示している。いくつかの実施形態では、第２の信号は、測定回路によって第２の歪みゲージ素子１２０の第３端子１２０−ａと第４端子１２０−ｂの間に印加される既知の第２の電気信号（例えば、既知の電圧または電流）に対する応答として、測定される。
【００５５】
いくつかの実施形態では、第３の信号は、付与された変形に応じて測定された弾性基板の静電容量（Ｃ）または静電容量変化（ΔＣ）を示している。いくつかの実施形態では、第３の信号は、第１の歪みゲージ素子１１０の端子（例えば、第１端子と第２端子のうちの１つ）と第２の歪みゲージ素子１２０の端子（例えば、第３端子と第４端子のうちの１つ）の間に印加される既知の第３の電気信号（例えば、既知の交流電流）に対する応答として、測定される。
【００５６】
いくつかの実施形態では、測定回路１４０は、交互の（時間インターリーブされた）２つの測定フェーズを有する。第１のフェーズでは、Ｒ１およびＲ２の測定のために、第１の歪みゲージ素子および第２の歪みゲージ素子のそれぞれに、既知の電圧または電流を供給することができる。第２のフェーズでは、Ｃの測定のために、コンデンサの一方の平板を形成するように、第１の歪みゲージ素子の第１端子１１０−ａと第２端子１１０−ｂを短絡させることができ、同様に、コンデンサの第２の平板を形成するように、第２の歪みゲージ素子１２０の第３端子１２０−ａと第４端子１２０−ｂを短絡させることができ、弾性基板は、第１と第２の平板間で誘電絶縁体を形成する。このとき、第１の平板（相互に短絡された第１端子１１０−ａおよび第２端子１１０−ｂ）と第２の平板（相互に短絡された第３端子１２０−ａおよび第４端子１２０−ｂ）の間で、静電容量Ｃを任意選択的に測定する。
【００５７】
図３Ｂは、いくつかの実施形態により、図３Ａの測定回路１４０の例示的な実装を示している。測定回路１４０は、スイッチＳ１、Ｓ２、Ｓ３と、電流源Ｉｓｒｃと、電圧源Ｖｓｒｃと、電圧計３５０と、電流計３５５と、を有する。
【００５８】
１つまたは複数の実施形態により、図３Ｂの装置を使用して、以下に列挙するアプローチのうちの１つ以上に基づいて抵抗成分（Ｒ１＋Ｒ２）を測定する。
バルク抵抗［Ｒ１＋Ｒ２］の測定：
１）  装置３２５を放電する。電流源（Ｉｓｒｃ）を一定の直流電流に設定して、スイッチＳ１をオンにする。測定点で初期直流電圧（Ｖｄｕｔ）を測定し、これはＩｄｕｔ＊（Ｒ１＋Ｒ２）である。合成抵抗（Ｒ１＋Ｒ２）は、ＶｄｕｔおよびＩｄｕｔの測定値に基づいて特定できる。
【００５９】
２）  装置３２５を放電する。電圧源（Ｖｓｒｃ）を一定の直流電圧に設定して、スイッチＳ２をオンにする。測定点で初期直流電流（Ｉｄｕｔ）を測定し、これはＶｄｕｔ／（Ｒ１＋Ｒ２）である。合成抵抗（Ｒ１＋Ｒ２）は、ＶｄｕｔおよびＩｄｕｔの測定値に基づいて特定できる。
【００６０】
３）  装置３２５を放電する。電源に電荷を導入して、スイッチをオンにする。電源における初期電圧（Ｖｄｕｔ）および初期電流（Ｉｄｕｔ）を測定し、Ｒ１＋Ｒ２＝Ｖｄｕｔ／Ｉｄｕｔであることに注目する。
【００６１】
４）  システムの周波数１／（２＊π＊（Ｒ１＋Ｒ２）＊Ｃ）よりも顕著に高いと分かっている周波数で、電流源（Ｉｓｒｃ）を一定の交流電流で駆動するか、または電圧源（Ｖｓｒｃ）を一定の交流電圧で駆動する。測定点での定常状態のＲＭＳ電圧（Ｖｄｕｔ）およびＲＭＳ電流（Ｉｄｕｔ）に注目して、Ｒ１＋Ｒ２＝Ｖｄｕｔ／Ｉｄｕｔを計算する。
【００６２】
さらに、１つまたは複数の実施形態により、図３Ｂの装置を使用して、以下に列挙するアプローチのうちの１つ以上に基づいて静電容量成分（Ｃ）を測定する。
静電容量（Ｃ）の測定：
１）  電圧源（Ｖｓｒｃ）を一定の直流電圧に設定して、スイッチＳ２をオンにする。例えば、スイッチＳ２のターンオンを基準として測定される、規定の電流（Ｉｄｕｔ）尺度まで充電する時間に基づいて、Ｃの充電時間を測定する。同じバルク抵抗値（Ｒ１＋Ｒ２）の既知の基準コンデンサの同じ規定電流値の放電時間と比較する。静電容量変化は時間に反比例する。このとき、コンデンサ（Ｃ）を放電させるために、スイッチＳ２をオフにするとともに、スイッチＳ３をオンにして、電流−時間測定を繰り返し、同様の電流−時間測定値を記録することで、その放電特性と基準コンデンサの放電特性との比較から、Ｃの値を計算する。
【００６３】
２）  交流インピーダンス：系の共振周波数１／（２＊π＊（Ｒ１＋Ｒ２）＊Ｃ）と同じオーダの大きさの周波数で、電圧源（Ｖｓｒｃ）を一定の交流電圧に設定して、Ｓ２をオンにする。システムへのＲＭＳ電流（Ｉｄｕｔ）を測定して、同じバルク抵抗Ｒ１＋Ｒ２の基準静電容量の充電電流と比較する。静電容量Ｃに正比例する電流（Ｉｄｕｔ）に注目する。
【００６４】
３）  装置３２５を放電する。電荷移動：一定電荷、または一定持続時間の刺激としての一定電流を用いる。システムが安定した後の開路電圧Ｖｄｕｔに注目するとともに、これは、一定電荷または一定持続時間の電流パルスの場合には静電容量に反比例することに注目する。
【００６５】
４）  共振：電流計３５５（Ａ）を、既知の（例えば、値Ｌの）インダクタンスを有するインダクタで置き換える。ＬＣ系の共振の最小限界または最大限界を見つけるために、一定の交流電圧で、かつスイープ周波数の交流電圧で、電圧源（Ｖｓｒｃ）を駆動する。共振周波数は、１／（１＊π＊ｓｑｒｔ（Ｌ＊Ｃ））である。測定された共振周波数および既知のインダクタンス値Ｌに基づいて、Ｃを特定する。
【００６６】
いくつかの実施形態では、変形分析器１５０は、第１の歪みゲージ素子１１０から測定された第１の信号、第２の歪みゲージ素子１２０から測定された第２の信号、および第３の信号１３０に基づいて、付与された変形における、検知装置１００の伸縮変形３１０の測度（例えば、絶対メトリックまたは比率割合）および撓み変形３２０の測度（例えば、絶対メトリックまたは比率割合）を計算する。
【００６７】
いくつかの実施形態では、伸縮変形３１０は、元の変形前の長さの、比率またはパーセントで表される長さ変化割合［すなわち、それぞれ、ΔＬ１およびΔＬ２は、第１の歪みゲージ素子および第２の歪みゲージ素子の長さ変化、Ｌ０は元の長さとして、（ΔＬ１＋ΔＬ２）／２Ｌ０であるか、またはΔＬ１＝ΔＬ２＝ΔＬの場合には、（ΔＬ）／Ｌ０］として計算される、歪みゲージ素子における歪みとして特定される。例えば、変形前の長さが１０ｃｍの歪みゲージが１５ｃｍに伸長されると、５０％の歪みを受けている。いくつかの実施形態では、伸縮変形３１０の測度は、第１の歪みゲージ素子１１０および第２の歪みゲージ素子１２０の長さの平均変化を示している。このような実施形態では、変形分析器は、第１の信号、第２の信号、第３の信号に基づいて、伸縮変形の測度を、以下の式を用いて計算する。
【００６８】
【数５】
2019138921.tif 000007
【００６９】
【数６】
2019138921.tif 000008
【００７０】
【数７】
2019138921.tif 000009
ただし、Ｒ１は第１の抵抗、Ｒ２は第２の抵抗、Ｃは静電容量であり、
Ａｒｅａは、第１の歪みゲージ素子と第２の歪みゲージ素子とのオーバラップであり、
ＧＦは、歪みと抵抗を関係付けるゲージ率であり、
γは、軸間の変形を関係付ける、弾性基板のポアソン比であり、
Ｌ０は、第１の歪みゲージ素子および第２の歪みゲージ素子の変形前の長さであり、
ΔＬ、ΔＬ１、ΔＬ２は、第１の歪みゲージ素子および第２の歪みゲージ素子の長さの変化であり、
Ｗ０は、第１の歪みゲージ素子および第２の歪みゲージ素子の変形前の長さであり、
εは、弾性基板の誘電率であり、
Ｒ０は、第１の歪みゲージ素子および第２の歪みゲージ素子の基準抵抗であり、
ｇ、ｇ０は、それぞれ弾性基板の変形後の幅および基準幅である。
【００７１】
あるいは、ΔＬ１＝ΔＬ２＝ΔＬの場合には、
【００７２】
【数８】
2019138921.tif 000010
【００７３】
【数９】
2019138921.tif 000011
いくつかの実施形態では、純撓み変形の測度は、第１の歪みゲージ素子および第２の歪みゲージ素子が形成された弾性基板面の角曲がりを示している。一例として、純撓みの測度は、導体が形成された面の湾曲によって形成される弧の半径（例えば、平均曲率半径または曲げ半径）に相当する。変形分析器は、第１の信号、第２の信号、第３の信号に基づいて、純撓み変形の測度を、以下の式を用いて計算する。
【００７４】
【数１０】
2019138921.tif 000012
【００７５】
【数１１】
2019138921.tif 000013
【００７６】
【数１２】
2019138921.tif 000014
ただし、Ｒ１は第１の抵抗、Ｒ２は第２の抵抗、Ｃｂｅｎｄは静電容量であり、
ＧＦは、第１の歪みゲージ素子および第２の歪みゲージ素子の歪みと抵抗を関係付けるゲージ率であり、
γは、軸間の変形を関係付ける、弾性基板のポアソン比であり、
Ｌ０は、第１の歪みゲージ素子および第２の歪みゲージ素子の変形前の長さであり、
ΔＬ１、ΔＬ２は、第１の歪みゲージ素子および第２の歪みゲージ素子の長さの変化であり、
Ｒ０は、第１の歪みゲージ素子および第２の歪みゲージ素子の基準抵抗であり、
ｇは、弾性基板の変形後の幅であり、
ρ１およびρ２は、弾性基板の第１面および第２面の曲げ半径である。
【００７７】
伸縮変形と撓み変形が合成されている（両方とも存在する）場合、かつＣｍｅａｓｕｒｅｄ≠Ｃ０である構成の場合には、両方の電極に共通のΔＬｓｔｒｅｔｃｈを（式４および式５を用いて）計算して、Ｒ１ｍｅａｓｕｒｅｄおよびＲ２ｍｅａｓｕｒｅｄから減算し、そして曲げ半径ρ１およびρ２（式７および式８）を計算することに基づいて、伸縮変形の測度および撓み変形の測度を計算する。伸縮と撓みが合成された構成の場合には、２つの効果（伸縮と撓み）の重畳を考慮する。弾性基板の静電容量（または代わりに、基板の変形後の幅（ｇ）に相当する間隔））に基づいて、総伸縮を推定する。歪みゲージ素子の新たな基準長さ（Ｌ０’）を、（例えば、式４および式５を用いて）計算する。Ｒ１’およびＲ２’の新たな基準測度を決定する。差Ｌ１−Ｌ０’およびＬ２−Ｌ０’（Ｒ１−Ｒ１’およびＲ２−Ｒ２’とも表される）に基づいて、曲率（撓み測度）を、例えば純曲げ（撓み）について記載したのと同じ方法（例えば、式４および式５）を用いて計算する。
【００７８】
図４Ａ〜４Ｃは、１つ以上の実施形態により、変形検知装置に付与された長さ方向の（方向／次元４１０に沿った）伸縮変形を示している。図５Ａ〜５Ｃは、１つ以上の実施形態により、変形検知装置に付与された幅方向の（方向／次元４２０に沿った）応力変形を示している。
【００７９】
図４Ａは、変形されていない場合の変形センサ１００を示している。図４Ｂは、付与された伸縮変形による変形センサ１００の長さの増大（および伸張または伸長）を示している。図４Ｃは、逆に、付与された伸縮変形による変形センサ１００の長さの縮小（圧縮）を示している。
【００８０】
図５Ａは、変形されていない場合の変形センサ１００を示している。図５Ｂは、付与された伸縮変形による変形センサ１００の幅の増大（および伸張または伸長）を示している。図５Ｃは、逆に、付与された伸縮変形による変形センサ１００の幅の縮小（圧縮）を示している。いくつかの実施形態では、変形センサ１００は、図４Ａ〜４Ｃに示す長さ方向に沿った変形に対するよりも、図５Ａ〜５Ｃに示す幅方向に沿った変形に対する感度がより低い。いくつかの実施形態では、長さ方向と幅方向のどちらに沿った伸縮も検知するとともに、それらを区別するために、図７Ａ〜７Ｃを参照してさらに説明するように、変形センサは、２対の歪みゲージ素子をオプションで備え、それらの２対は互いに直交するようにアライメントされている。例えば、図７Ａに示すように、プライマリ歪みゲージ対（primary strain-gauge pair）１１０−ａ、１２０−ａは、セカンダリ歪みゲージ対１１０−ｂ、１２０−ｂに対して垂直である。このような実施形態では、（図３Ａを参照して説明した）変形分析器は、測定された第１の信号、第２の信号、第３の信号に基づいて、伸縮変形方向（例えば、図７Ａ〜７Ｃに示すようなプライマリリード対１１０−ａ、１２０−ａの長さに沿っているか、または図７Ａ〜７Ｃに示すようなセカンダリリード対１１０−ｂ、１２０−ｂの長さに沿っているか）を判定する。このように、この直交Ｕ字対構成と結合した場合に、変形分析器は、追加的に、撓み方向を区別する。第１の歪みゲージ対（１１０−ａ，１２０−ａ）は、その個々の長さに沿った第１の撓み（または伸縮）方向の変形に対して（その個々の抵抗の変化によって）応答するとともに、第２の歪みゲージ対（１１０−ｂ，１２０−ｂ）は、この第１の撓み（または伸縮）方向には、応答性が相対的に低い。逆に、第２の歪みゲージ対（１１０−ｂ，１２０−ｂ）は、その個々の長さに沿った第２の撓み（または伸縮）方向の変形に対して（その個々の抵抗の変化によって）応答するとともに、第１の歪みゲージ対（１１０−ｂ，１２０−ｂ）は、この第２の撓み（または伸縮）方向には、応答性が低い。
【００８１】
再び図４Ａ〜４Ｃおよび５Ａ〜５Ｃの構成を参照して、いくつかの実施形態では、変形分析器は、測定された第１の信号、第２の信号、第３の信号に基づいて、伸縮変形の大きさを計算する。例えば、変形分析器は、第１の信号、第２の信号、第３の信号から得られるＲ１、Ｒ２、Ｃの値に基づいて、第１の歪みゲージ素子もしくは第２の歪みゲージ素子のリードの平均長さ変化、または第１のゲージもしくは第２のゲージの所与のリード対のリード間距離の変化を計算することができる。
【００８２】
例えば、長さ方向の伸縮（例えば、図４Ｂ）の場合には、式１〜式５を用いて伸縮の大きさを計算する。
一方、幅方向の伸縮（例えば、図５Ｂ）の場合には、変形分析器は、幅方向の伸縮では抵抗Ｒ１およびＲ２の変化は無視できるので、式３および式５（静電容量変化）を用いて伸縮の大きさを計算するように構成される。
【００８３】
さらに、変形分析器は、測定された第１の信号、第２の信号、第３の信号を比較することによって、その伸縮変形が圧縮伸縮に相当するのか、または伸長伸縮に相当するのかを判定することができる。例えば、圧縮（例えば、図４Ｃ）では、第１の歪みゲージ素子１１０および第２の歪みゲージ素子１２０の長さが縮小するとともに、第１の歪みゲージ素子１１０と第２の歪みゲージ素子１２０との間隔が増大することで、抵抗（Ｒ１およびＲ２）の変化ならびに静電容量（Ｃ）の変化が生じる。
【００８４】
図６Ａ〜６Ｃは、１つ以上の実施形態により、変形検知装置に付与された長さ方向の（方向／次元４１０に沿った）撓み変形を示している。
図６Ａは、変形されていない場合の変形センサ１００を示している。図６Ｂは、付与された撓み変形による変形センサ１００の長さ方向の撓み変形（リードの長さに沿った撓み）であって、第２の素子１２０に向けた撓みを示している。図６Ｃは、逆に、付与された撓み変形による変形センサ１００の長さ方向の撓み変形（リードの長さに沿った撓み）であって、第１の素子１１０に向けた撓みを示している。
【００８５】
図７Ａ〜７Ｃは、１つ以上の実施形態により、２つの直交方向７１０および７２０に沿った伸縮変形または撓み変形（例えば、それぞれ、長さ方向変形と幅方向変形）を検出および区別するために、直交する歪みゲージ対を備える第１の改良型変形センサ７００を示している。例えば、変形センサ７００は、２対の歪みゲージ素子（プライマリ歪みゲージ対１１０−ａ、１２０−ａおよびセカンダリ歪みゲージ対１１０−ｂ、１２０−ｂ）を備え、それらの２対は、互いに直交するようにアライメントされており、直交方向（それぞれ、７１０と７２０）に沿った伸縮変形および撓み変形に応じた信号をそれぞれ生成するように構成されている。
【００８６】
図７Ａは、変形されていない場合の変形センサ７００を示している。図７Ｂは、付与された撓み変形による変形センサ７００の幅方向の撓み変形（プライマリリード１１０−ａおよび１２０−ａの長さに直交するとともに、セカンダリリード１１０−ｂおよび１２０−ｂの長さに沿った、方向／次元７２０に沿った撓み）であって、第２の素子１２０−ｂに向けた撓みを示している。図７Ｃは、逆に、付与された撓み変形による変形センサ７００の幅方向の撓み変形（プライマリリード１１０−ａおよび１２０−ａの長さに直交するとともに、セカンダリリード１１０−ｂおよび１２０−ｂの長さに沿った、方向／次元７２０に沿った撓み）であって、第１の素子１１０−ｂに向けた撓みを示している。
【００８７】
いくつかの実施形態において、変形センサが、（図７Ａ〜７Ｃに示すもののような）直交する歪みゲージ対を備える場合には、（例えば、図３を参照して説明した）変形分析器は、それぞれのリード対から独立に得られる測定による第１の信号、第２の信号、第３の信号に基づいて、撓み変形方向（例えば、撓みが、図６Ａ〜６Ｃに示すようなリードの長さに沿っているか、または図７Ａ〜７Ｃに示すようなプライマリリードの長さに垂直であるとともにセカンダリリードの長さに沿っているか）を判定する。
【００８８】
さらに、いくつかの実施形態では、（例えば、図３を参照して説明した）変形分析器は、それぞれのリード対から独立に得られる（Ｒ１、Ｒ２、Ｃを示す）第１の信号、第２の信号、第３の信号に基づいて、撓み変形の大きさを計算する。場合によっては、撓みの大きさは、付与された変形による曲げを受ける弾性基板の湾曲面によって形成される弧の平均曲率半径に相当する。あるいは、撓みの大きさは、付与された変形による曲げを受ける弾性基板の湾曲面によって形成される弧の平均角度に相当する。
【００８９】
すなわち、いくつかの実施形態では、変形検知装置（例えば、第１の改良型変形センサ７００）は、弾性基板１３０と、第１の歪みゲージ対（例えば、プライマリ歪みゲージ対１１０−ａ、１２０−ａ）と、第２の歪みゲージ対（例えば、セカンダリ歪みゲージ対１１０−ｂ、１２０−ｂ）と、を備える。
【００９０】
第１の歪みゲージ対は、弾性基板１３０の第１面に形成された第１の歪みゲージ素子１１０−ａであって、第１の方向７１０に付与された歪みに応じた（第１の歪みゲージ素子１１０−ａの抵抗を示す）第１の信号を出力するように構成された第１の歪みゲージ素子１１０−ａと、弾性基板１３０の第１面とは反対の第２面に形成された第２の歪みゲージ素子１２０−ａであって、同じ第１の方向７１０に付与された歪みに応じた（第２の歪みゲージ素子１２０−ａの抵抗を示す）第２の信号を出力するように構成された第２の歪みゲージ素子１２０−ａと、を含む。変形検知装置７００は、さらに、付与された変形に応じて（第１の歪みゲージ素子１１０−ａと第２の歪みゲージ素子１２０−ａの間で測定された弾性基板１３０の静電容量を示す）第３の信号を出力するように構成されており、第３の信号は、第１の歪みゲージ素子１１０−ａの端子と第２の歪みゲージ素子１２０−ａの端子の間で測定可能である。
【００９１】
第２の歪みゲージ対は、弾性基板１３０の第１面に概ね形成された第３の歪みゲージ素子１１０−ｂであって、第２の方向７２０に付与された歪みに応じた（第３の歪みゲージ素子１１０−ｂの抵抗を示す）第４の信号を出力するように構成された第３の歪みゲージ素子１１０−ｂと、弾性基板１３０の第１面とは反対の第２面に概ね形成された第４の歪みゲージ素子１２０−ｂであって、同じ第２の方向７２０に付与された歪みに応じた（第４の歪みゲージ素子１２０−ｂの抵抗を示す）第５の信号を出力するように構成された第４の歪みゲージ素子１２０−ｂと、を含む。変形検知装置７００は、付与された変形に応じて（第３の歪みゲージ素子１１０−ｂと第４の歪みゲージ素子１２０−ｂの間で測定された弾性基板１３０の静電容量を示す）第６の信号を出力するように構成されており、第６の信号は、第３の歪みゲージ素子１１０−ｂの端子と第４の歪みゲージ素子１２０−ｂの端子の間で測定可能である。
【００９２】
いくつかの実施形態では、第１の方向７１０は第２の方向７２０に直交しており、第１の歪みゲージ対の歪みゲージ素子１１０−ａ、１２０−ａと第２の歪みゲージ対の歪みゲージ素子１１０−ｂ、１２０−ｂとは、互いに直交している。
【００９３】
このような実施形態では、変形分析器は、さらに、第１の歪みゲージ対および第２の歪みゲージ対から検出された第１の信号、第２の信号、第４の信号、第５の信号の大きさを比較することによって、第１の方向７１０または第２の方向７２０の伸縮のいずれかとして伸縮変形方向を判定するように構成されている。第１の方向７１０の伸縮の場合には、変形分析器は、第１の信号および第２の信号を用いて伸縮の大きさを計算するように構成されており、第２の方向７２０の伸縮の場合には、変形分析器は、第４の信号および第５の信号を用いて伸縮の大きさを計算するように構成されている。
【００９４】
さらに、このような実施形態では、変形分析器は、さらに、第１の歪みゲージ対および第２の歪みゲージ対から検出された第１の信号、第２の信号、第４の信号、第５の信号の大きさを比較することによって、第１の方向７１０または第２の方向７２０の撓みのいずれかとして撓み変形方向を判定するように構成されている。第１の方向７１０の撓みの場合には、変形分析器は、第１の信号および第２の信号を用いて撓みの大きさを計算するように構成されており、第２の方向７２０の撓みの場合には、変形分析器は、第４の信号および第５の信号を用いて撓みの大きさを計算するように構成されている。
【００９５】
このような実施形態では、（プライマリ歪みゲージ対１１０−ａ、１２０−ａの長さに沿った）長さ方向の弧状撓みの場合には、プライマリ歪みゲージ対１１０−ａ、１２０−ａから得られた第１の信号、第２の信号、第３の信号に適用される式６〜式８を用いて、撓みの大きさを計算する。
【００９６】
逆に、（図７Ｂ〜７Ｃに示すように、セカンダリ歪みゲージ対１１０−ｂ、１２０−ｂの長さに沿った）幅方向の弧状撓みの場合には、セカンダリ歪みゲージ対１１０−ｂ、１２０−ｂから得られた第４の信号、第５の信号、第６の信号に適用される式６〜式８を用いて、撓みの大きさを計算する。
【００９７】
加えて、変形分析器は、さらに、適切な歪みゲージ対（図７Ａ〜７Ｃの場合には、１１０−ｂ、１２０−ｂ）から測定された第１の信号、第２の信号、第３の信号を比較することによって、その撓み変形が弾性基板の第１面に向けた（１１０−ｂに向けた）撓みに相当するのか、または弾性基板の第２面に向けた（１２０−ｂに向けた）撓みに相当するのかを判定するように構成される。例えば、基板の第１面に向けた撓みの場合には、抵抗Ｒ１は低減し（素子１１０−ｂの長さが縮小し）、抵抗Ｒ２は増加する（素子１２０−ｂの長さが増大する）。
【００９８】
同様に、図７Ａ〜７Ｃの構成７００で、長さ方向の伸縮の場合には、プライマリ歪みゲージ対１１０−ａ、１２０−ａから測定された信号（例えば、第１の信号、第２の信号、第３の信号）に適用される式１〜式５を用いて、伸縮の大きさを計算することができる。
【００９９】
一方、幅方向の伸縮の場合には、変形分析器は、セカンダリ歪みゲージ対１１０−ｂ、１２０−ｂから測定された信号（例えば、第４の信号、第５の信号、第６の信号）に適用される式１〜式５を用いて、伸縮の大きさを計算するように構成されている。
【０１００】
図７Ｄ〜７Ｆは、１つ以上の実施形態により、２つの直交方向７１０および７２０に沿った伸縮変形または撓み変形（例えば、長さ方向変形と幅方向変形）を検出および区別するために、直交する歪みゲージ素子（１１０−ｂおよび１２０−ａ）を備える第２の改良型変形センサ７５０を示している。
【０１０１】
変形検知装置（例えば、第２の改良型変形センサ７５０）は、弾性基板１３０と、弾性基板１３０の第１面に形成された第１の歪みゲージ素子１１０−ｂであって、第１の方向７１０に付与された歪みに応じた（第１の歪みゲージ素子１１０−ｂの抵抗を示す）第１の信号を出力するように構成された第１の歪みゲージ素子１１０−ｂと、弾性基板１３０の第１面とは反対の第２面に形成された第２の歪みゲージ素子１２０−ａであって、第２の方向７２０に付与された歪みに応じた（第１の歪みゲージ素子１２０−ａの抵抗を示す）第２の信号を出力するように構成された第２の歪みゲージ素子１２０−ａと、を備える。変形検知装置７５０は、付与された変形に応じて（第１の歪みゲージ素子１１０−ｂと第２の歪みゲージ素子１２０−ａの間で測定された弾性基板１３０の静電容量を示す）第３の信号を出力するように構成されており、第３の信号は、第１の歪みゲージ素子１１０−ｂの端子と第２の歪みゲージ素子１２０−ａの端子の間で測定可能である。第１の方向７１０は第２の方向７２０に直交している。第１の歪みゲージ素子１１０−ｂと第２の歪みゲージ素子１２０−ａとは、互いに直交している。
【０１０２】
このような実施形態では、変形分析器は、さらに、第１の歪みゲージ素子１１０−ｂおよび第２の歪みゲージ素子１２０−ａから検出された第１の信号および第２の信号の大きさを比較することによって、第１の方向７１０または第２の方向７２０の伸縮のいずれかとして伸縮変形方向を判定するように構成されている。第１の方向７１０の伸縮の場合には、変形分析器は、第１の信号および第３の信号を用いて伸縮の大きさを計算するように構成されており、第２の方向７２０の伸縮の場合には、変形分析器は、第２の信号および第３の信号を用いて伸縮の大きさを計算するように構成されている。
【０１０３】
例えば、第１の方向７１０の伸縮の場合には、第１の歪みゲージ素子１１０−ｂおよび第２の歪みゲージ素子１２０−ａから測定された第２の信号および第３の信号から測定された信号に適用される式１〜式５を用いて、伸縮の大きさを計算することができる。
【０１０４】
一方、第２の方向７２０の伸縮の場合には、変形分析器は、第１の歪みゲージ素子１１０−ｂおよび第２の歪みゲージ素子１２０−ａから測定された第２の信号および第３の信号から測定された信号に適用される式１〜式５を用いて、伸縮の大きさを計算するように構成されている。
【０１０５】
加えて、変形分析器は、さらに、第１の歪みゲージ素子１１０−ｂおよび第２の歪みゲージ素子１２０−ａから検出された第１の信号および第２の信号の大きさを比較することによって、第１の方向７１０または第２の方向７２０の撓みのいずれかとして撓み変形方向を判定するように構成される。第１の方向７１０の撓みの場合には、変形分析器は、第１の信号および第３の信号を用いて撓みの大きさを計算するように構成されており、第２の方向７２０の撓みの場合には、変形分析器は、第２の信号および第３の信号を用いて撓みの大きさを計算するように構成されている。
【０１０６】
例えば、（図７Ｂ〜７Ｃに示すように、第１の歪みゲージ素子１１０−ｂのリードの長さに沿った）第１の方向７１０に沿った弧状撓みの場合には、第１の歪みゲージ１１０−ｂおよび第２の歪みゲージ１２０−ａから得られた第１の信号および第３の信号に適用される式６〜式８を用いて、撓みの大きさを計算することができる。
【０１０７】
逆に、（第２の歪みゲージ素子１２０−ａのリードの長さに沿った）第２の方向７２０に沿った弧状撓みの場合には、第１の歪みゲージ１１０−ｂおよび第２の歪みゲージ１２０−ａから得られた第２の信号および第３の信号に適用される式６〜式８を用いて、撓みの大きさを計算する。
【０１０８】
図８〜１１は、１つまたは複数の実施形態により、１つ以上の変形検知装置を備えるウェアラブルシステムの例を示している。
１つまたは複数の実施形態において、ウェアラブルデバイスまたはシステムは、（図１〜７を参照して説明したもののような）１つ以上の変形センサを備える。ウェアラブルデバイスまたはシステムは、さらに、（図３を参照して説明した）測定回路および変形分析器を備えることもできる。あるいは、ウェアラブルデバイスは、変形センサ（さらに場合によっては、測定回路）を備えることができ、第１の信号、第２の信号、第３の信号を、遠隔の（例えば、非ウェアラブル）システムまたは装置に送信することができ、遠隔システムまたは装置は、測定回路および／または変形分析器を備えることができる。
【０１０９】
いくつかの実施形態では、ウェアラブルデバイス内の変形センサの第１の歪みゲージ素子および第２の歪みゲージ素子の各々は、（図３を参照して説明したように）アーチ状ヘッドと、アーチ状ヘッドの両端から延出する一対の細長リードと、を含む馬蹄形状を有する。このような実施形態では、第１の歪みゲージ素子と第２の歪みゲージ素子の形状のアライメントは対応しており、それらのアライメントされた形状は、関節動作する関節に外接するか、または関節動作する関節を取り囲むように構成されている。これにより、ウェアラブルデバイスが関節の周囲に位置決めまたは装着されると、その関節の動きによって、結果的に変形センサの対応する変形が生じ、その変形に応じた第１の信号、第２の信号、第３の信号が生成される。そこで、本明細書に記載のアプローチを用いて、第１の信号、第２の信号、第３の信号に基づき、関節の伸縮変形および撓み変形の測度を特定することができる。
【０１１０】
いくつかの実施形態では、ウェアラブルデバイスは、顔の一部の周囲に装着される（例えば、図８の）ウェアラブルヘッドセットである。これに対応して、馬蹄形歪みゲージ８１２、８１４、８１６は、図８に示すように、眼窩に対して（外接して）略同心状であるか、または前額および頬骨の部分と位置合わせされるように配置され、これにより、これらの部位の動きを区別するために検知する。
【０１１１】
いくつかの実施形態では、ウェアラブルデバイスは、手の周囲に装着される（例えば、図９の）グローブであるか、または指もしくは手首に装着されるカバー（例えば、シンブルもしくはガードバンド）である。これに対応して、デバイスが指または手首の周囲に装着されたときに、馬蹄形歪みゲージは、１本以上の指の関節に対して略同心状である（９１４−ａ，９１４−ｂ，９１６−ａ，９１６−ｂ）か、または手首関節に対して略同心状である（９１０および９１２）ように配置される。代替的または追加的に、馬蹄形歪みゲージは、関節の上方、下方、または側方に配置される。
【０１１２】
いくつかの実施形態では、ウェアラブルデバイスは、膝関節、肘関節、足首関節、または肩関節に装着される（例えば、図１０の）ブレース（brace）である。これに対応して、馬蹄形歪みゲージのアーチ形を、膝関節（１０１４）、肘関節、足首関節、または肩関節に対して略同心状であるように配置することができる。代替的または追加的に、馬蹄形歪みゲージは、関節の上方（１０１２）、下方（１０１６）、または側方（１０１６）に配置することができる。
【０１１３】
いくつかの実施形態では、ウェアラブルデバイスは、頸部または胴体部（図１１に示すように、例えば、胸部、背部、または腰部）に装着されるサポートブレースである。これに対応して、馬蹄形歪みゲージは、頸部または胴体部（例えば、１１１２または１１１４）の輪郭に沿うように配置される。
【０１１４】
図１２は、１つ以上の実施形態により、本明細書に開示の変形検知装置を使用して変形を検知する方法１２００を示すフローチャートを示している。本方法は、付与された変形に応じて、ステップ１２１０〜１２３０を実行することを含む。本方法は、変形センサ（例えば、変形センサ１１０）の弾性基板（例えば、図１〜７を参照して記載した基板１３０）の第１面に形成された第１の歪みゲージ素子（例えば、図１〜７を参照して記載した素子１１０）から、第１の信号を測定すること（１２１０）を含む。いくつかの実施形態では、第１の信号は、第１の歪みゲージ素子の抵抗（例えば、Ｒ１または抵抗変化ΔＲ１）を示している。
【０１１５】
本方法は、さらに、変形センサの弾性基板の第２面に形成された第２の歪みゲージ素子（例えば、図１〜７を参照して記載した素子１２０）から、第２の信号を測定すること（１２２０）を含む。いくつかの実施形態では、第２の信号は、第２の歪みゲージ素子の抵抗（Ｒ２または抵抗変化ΔＲ２）を示している。
【０１１６】
本方法は、さらに、第３の信号を、第１の歪みゲージ素子と第２の歪みゲージ素子の間で測定すること（１２３０）を含む。いくつかの実施形態では、第３の信号は、付与された変形に応じて測定された弾性基板の静電容量（Ｃまたは静電容量変化ΔＣ）を示している。
【０１１７】
本方法は、さらに、第１の歪みゲージ素子から測定された第１の信号、第２の歪みゲージ素子から測定された第２の信号、および第３の信号に基づいて、付与された変形における、変形センサの伸縮変形の測度（方向および／または大きさ）および撓み変形の測度（方向および／または大きさ）を計算すること（１２４０）を含む。
【０１１８】
これらの実施形態についての上記説明は、例示目的で提示したものであって、網羅的なものではなく、または開示した厳密な形態に実施形態を限定するものではない。当業者であれば理解できるように、上記の開示に照らして、多くの変更および変形が可能である。本明細書で使用された用語は、主に読み易さおよび教示を目的として選択されたものであり、発明の主題の境界または範囲を定めるために選択されたものではないことがある。よって、これらの実施形態の範囲は、詳細な本説明によって限定されるものではなく、本明細書による出願時の請求項によって限定されるものである。従って、これらの実施形態の開示は、例示的なものであって、実施形態の範囲を限定するものではなく、その範囲は以下の請求項で規定される。
【図１Ａ−１Ｃ】
2019138921.tif 000017
【図２Ａ−２Ｃ】
2019138921.tif 000018
【図３Ａ】
2019138921.tif 000019
【図３Ｂ】
2019138921.tif 000020
【図４Ａ−４Ｃ】
2019138921.tif 000021
【図５Ａ−５Ｃ】
2019138921.tif 000022
【図６Ａ−６Ｃ】
2019138921.tif 000023
【図７Ａ−７Ｃ】
2019138921.tif 000024
【図７Ｄ−７Ｆ】
2019138921.tif 000025
【図８】
2019138921.tif 000026
【図９】
2019138921.tif 000027
【図１０】
2019138921.tif 000028
【図１１】
2019138921.tif 000029
【図１２】
2019138921.tif 000030